(57)【特許請求の範囲】
【請求項１】
開いた気道及び安定した首の両方を確保するためのヘルメットに装着可能な安全装置であって、
右及び左の下顎係合セクションを備え、前記下顎係合セクションの各々は、
ａ）調節可能であり、ある角度に屈曲している気道開放部材であって、ヘルメット着用者の対応する下顎角の底部に接触するように構成された第１の要素と、該第１の要素から角度をなして離間する第２の要素とを有し、下顎枝の近傍で前記対応する下顎角に接触し、前記ヘルメット着用者の気道の開放を確保するように構成された、前記気道開放部材と、
ｂ）ヘルメットの内側に一体化されあるいは装着されたベースプレートであって、前方に延在する溝を備えるように構成された、前記ベースプレートと、
ｃ）前記ベースプレートに形成された前記溝に沿って制御可能に変位可能である前記気道開放部材に接続され、前記溝を貫通し、前記気道開放部材の前方への変位を行わせる手段と、
を備え、
前記気道開放部材に接続された前記手段は、前記対応する下顎角に力を適用する前記気道開放部材の選択的な前方への変位に従って顎を開放し、気道の開放を確保し、前記気道開放部材と前記ヘルメット着用者の下顎との間の係合を容易にする、安全装置。
【請求項２】
前記ヘルメット着用者の首と首安定係合するように適合された頸部支持体を更に備え、
前記頸部支持体は、前記ヘルメット着用者の後頭骨に係合するよう構成された後頭部分と、前記ヘルメット着用者の前記首の側面において、対応するＳＣＭ筋と係合するよう構成された２つの胸鎖乳突筋（ＳＣＭ）部分とを含み、前記後頭部分が前記２つの胸鎖乳突筋（ＳＣＭ）部分の間に位置する、請求項１に記載の安全装置。
【請求項３】
前記後頭部分及び前記２つのＳＣＭ部分が、単一ユニットとして形成されている、請求項２に記載の安全装置。
【請求項４】
前記下顎係合セクションの各々は、前記ベースプレートに形成された前記溝に沿って制御可能に変位可能である、前記気道開放部材のためのキャリヤを備える、請求項１に記載の安全装置。
【請求項５】
前記キャリヤは、前記溝に沿って長手方向に及びラチェット式に変位可能であり、かつ前記溝を貫通する締結要素によって、操作具に接続されている、請求項４に記載の安全装置。
【請求項６】
前記気道開放部材は、前記ベースプレートから内側に突出し、
前記操作具は、前記ベースプレートからヘルメットの内側に向かう方向に突出している、請求項５に記載の安全装置。
【請求項７】
前記気道開放部材の前方への変位は、手動で、あるいはキャリヤを前方に推進する電気機械式又はばね力ベースの装置を適用することにより自動的に行うことができる、請求項１に記載の安全装置。
【請求項８】
前記気道開放部材は、一体型の衝撃センサにより事故事象を検出した後に自動的に、又はコントロールセンターからの遠隔操作によって、起動される、請求項１に記載の安全装置。
【請求項９】
前記気道開放部材の第２の要素は、第１の要素から角度をなして離間し、かつ前記第１の要素から上方に延在する、請求項１に記載の安全装置。
【請求項１０】
前記第１及び第２の要素は、１１０〜１６０度の範囲の角度で角度方向に離間している、請求項１に記載の安全装置。
【請求項１１】
前記頸部支持体は、左右対称である、請求項２に記載の安全装置。
【請求項１２】
前記ヘルメットの前記内側からの前記安全装置の分離及び前記気道開放部材の移動を必要としない前記ヘルメットの取り外しを容易にする分離要素を更に備える、請求項１に記載の安全装置。
【請求項１３】
ヘルメットの着用者のために開放した気道及び安定した首の両方を確保する気道開放装置を有するヘルメットであって、
右及び左の下顎係合セクションを備え、前記下顎係合セクションの各々は、
ａ）調節可能であり、ある角度に屈曲している気道開放部材であって、ヘルメット着用者の対応する下顎角の底部に接触するように構成された第１の要素と、該第１の要素から角度をなして離間する第２の要素とを有し、下顎枝の近傍で前記対応する下顎角に接触し、前記ヘルメット着用者の気道の開放を確保するように構成された、前記気道開放部材と、
ｂ）ヘルメットの内側に一体化されあるいは装着されたベースプレートであって、前方に延在する溝を備えるように構成された、前記ベースプレートと、
ｃ）前記ベースプレートに形成された前記溝に沿って制御可能に変位可能である、前記気道開放部材に接続され、前記溝を貫通し、前記気道開放部材の前方へ変位を行わせる手段と、
を備え、
前記気道開放部材に接続された前記手段は、前記対応する下顎角に力を適用する前記気道開放部材の選択的な前方への変位に従って顎を開放し、気道の開放を確保し、前記気道開放部材と前記対応する下顎角との間の係合を容易にする、ヘルメット。
【請求項１４】
前記着用者の首へのアクセスを可能にするための取り外し可能な前部分を更に備える、請求項１３に記載のヘルメット。
【請求項１５】
前記着用者の首と首安定係合するように適合された頸部支持体を更に備え、
前記頸部支持体は、前記ヘルメット着用者の後頭骨に係合するよう構成された後頭部分と、前記ヘルメット着用者の前記首の側面において、対応するＳＣＭ筋と係合するよう構成された２つの胸鎖乳突筋（ＳＣＭ）部分とを含み、前記後頭部分が前記２つの胸鎖乳突筋（ＳＣＭ）部分の間に位置する、請求項１３に記載のヘルメット。
【発明の詳細な説明】
【技術分野】
【０００１】
本発明は、全般的に、ヘルメットのための非侵襲的に気道を開放する装置に関する。より詳しくは、本発明は、例えばオートバイの乗り手といったヘルメットの着用者が被った外傷性の事象の後に、気道の開放と前頸三角の監視を容易にする下顎挙上法を実行するための、ヘルメットに取り付け可能な装置に関する。
【背景技術】
【０００２】
救急医療の実行及び外傷の処置においては、患者が、意識と、開放した気道及び呼吸を維持する能力とを失うことはよくある。呼吸の喪失は多くの場合に致命的である。公知技術には気道の開放を維持するためのいくつかの方法がある。気道の開放を維持するためのあらゆる侵襲的な方法は、気道に挿入されると共に気道の開放維持を目的とする開放チューブを機械的に供給する装置を必要とする。１つの侵襲性の技術は、患者の頸部を貫通して管を挿入することを含む外科的な輪状甲状軟骨切開術である。他の侵襲性の技術には、気管挿管あるいは喉頭用マスクが含まれる。外傷患者の気道を保護する非侵襲的な方法は、顎部を手動で前方に押すことによる。このことは、例えばオートバイ運転者に関係する道路交通事故、又はヘルメットを装着している患者に関係する何らかの他の事故のように、ヘルメットの取り外しを必要とする場合には、更に複雑になる。
【０００３】
救急医療の実行においては、道路交通事故で負傷したオートバイ運転者のヘルメットを取り除く試みが安全でないことは知られている。そうすることは、乗り手が被っている何らかの脊髄損傷を悪化させる可能性があり、結果として重篤な麻痺又は死にさえ至ることもあり得る。しかしながら、例えば乗り手の呼吸が停止して緊急蘇生術を実行しなければならないときのように、負傷した乗り手の生命を救うべき場合にヘルメットの取り外しが不可避となるときがある。
【発明の概要】
【発明が解決しようとする課題】
【０００４】
窒息状態は極めて有害であり、多くの場合に致命的であり、かつ通常は不可逆的である。したがって、ヘルメットを取り除くことなしに気道を開放し、かつ開放した気道を維持する必要性がある。したがって、気道の開放を可能にする新規なヘルメット装置の必要性がある。
【０００５】
開放した口を維持することにより開放した気道を維持する、従来技術において公知の技術があるが、それらのうちのいずれもがヘルメットの着用者、例えばオートバイ運転者には言及していない。
【０００６】
本発明の目的は、外傷性の事象の後に着用者の頭部からヘルメットを取り除くことなしに気道の開放並びに咽頭部の監視を容易にする、ヘルメットのための非侵襲的な気道開放装置を提供することにある。
【０００７】
本発明の他の目的及び利点は、説明が進むにつれて明らかになるであろう。
【課題を解決するための手段】
【０００８】
本発明は、開いた気道を確保するためにヘルメットに装着される安全装置であって、右及び左の下顎係合セクションを備え、該下顎係合セクションの各々は、気道の開放を確実にするための調節可能な気道開放部材を備え、該下顎係合セクションの各々は、要求に応じて、該ヘルメットの着用者の下顎との係合を容易にするために、ヘルメットの内部内の側部に接続されている、安全装置を提供する。
【０００９】
一態様において、気道開放装置は、大部分の人々の首及び顔面の寸法にフィットするように固定される。他の態様において、気道開放装置は、特定の着用者の首及び顔面の寸法にフィットするように調節可能である。
【００１０】
一態様において、気道開放装置は、ヘルメット着用者の首に対し首安定係合状態となるように適合された頸部支持体を更に備え、その頸部支持体は、後頭部分と、頸部の側方においてＳＣＭ筋と係合するために該後頭部分がそれらの間に挿入される２つの胸鎖乳突筋（ＳＣＭ）部分とを含む。その頸部支持体は好ましくは、左右対称である。一態様においては、後頭部分と２つのＳＣＭ部分が単一のユニットとして形成される。
【００１１】
一態様において、下顎係合セクションの各々は、ベースプレートと、該ベースプレートに形成された溝に沿って制御可能に変位可能である、気道開放部材のためのキャリヤとを備える。キャリヤは、溝に沿って長手方向にかつラチェット式に変位可能であり、かつ溝を貫通する締結要素によって操作具に接続されている。気道開放部材はベースプレートから内側に突出し、かつ操作具はそこから遠位側に突出する。
【００１２】
気道開放部材は、対応する下顎角上に力を適用して下顎を前方に押して顎が開放するようにし、それによって下顎の後方への落ち込みと窒息を防止する外部装置である。
【００１３】
気道開放部材は、下顎角の底部に接触する第１の要素と、例えば１１０〜１６０度の範囲の角度で角度方向に間隔を開けて該第１の要素から上方に延在する第２の要素とを備える。
【００１４】
気道開放部材は、下顎を２つの方向に支持する。それが下顎を下方から支持すると共に下顎角上に後方から力を適用するときに、それは下顎の前方への動きを誘起させて、頸部の屈曲運動を防止し続けながら気道の開放を可能にする。屈曲を防止するベクトルが気道開放部材によって両側から下顎に適用されるので、ヘルメットの前側部分は、頸部へのアクセスを可能にするために取り外し可能となり得る。
【００１５】
一態様において、下顎係合セクションの前方への変位は、ばね力ベースの装置、電気機械式の装置、又は気道開放部材のキャリヤを前方に押すのに好適な何らかの他の装置を用いて自動的に行うことができる。
【００１６】
一態様において、気道開放部材は、一体型の衝撃センサによって事故イベントを検出した後に自動的に、又はコントロールセンターからの遠隔操作により、起動される。
【００１７】
一態様において、下顎係合セクションの各々は、ヘルメットの内部と一体的に形成される。
【００１８】
一態様において、安全装置は、ヘルメットの内部からのその装置の分離、及び気道開放部材の動きを必要としないヘルメットの取り外しを容易にする、１つ以上の分離要素を更に備える。
【００１９】
本発明はまた、ヘルメットの着用者のための開放した気道を確保する装置を有するヘルメットであって、右及び左の下顎係合セクションを備え、該下顎係合セクションの各々は、気道の開放を確実にするための調節可能な気道開放部材を有し、該下顎係合セクションの各々は、要求に応じて、着用者の下顎との係合を容易にするために、該ヘルメットの内部の側部に接続されている、ヘルメットを対象とする。
【００２０】
本発明の一実施形態によると、ヘルメットには、首へのアクセスを可能にする取り外し可能な前側部分が設けられる。
【００２１】
図面の説明は以下の通りである。
【図面の簡単な説明】
【００２２】
【図１】本発明の一実施形態による、ヘルメットのための気道開放装置の斜視図。
【図２】本発明の一実施形態による、図１の頸部支持装置と共に用いるヘルメットの側面図。
【図３】図２のヘルメットの断面図。
【図４Ａ】図２のヘルメットの上面図。
【図４Ｂ】頸部支持装置の下顎係合セクションを示す図４Ａの断面詳細図。
【図５】本発明の一実施形態による、取り外し可能な前側部分が設けられた、図１の頸部支持装置と共に用いるヘルメットの側面図。
【図６】本発明の一実施形態による、頸椎支持装置の斜視図。
【図７】ヘルメット着用者に対し頸部安定係合に位置決めされたときの、図６の頸椎支持装置が設けられたヘルメットの側面図。
【図８】本発明の一実施形態による、ヘルメットのための気道開放装置の斜視図。
【図９】全体的に係合していることが示されている図８の装置の側面図。
【発明を実施するための形態】
【００２３】
本発明は、例えば下顎挙上法による気道の開放を容易にし、かつ医師が前頸三角の臨床状態を監視できるようにする、ヘルメットのための気道開放装置に関する。本発明の気道開放装置は、対象者（すなわち、ヘルメットの着用者）の正面に立っている医師によって対象者に係合させられ、医師は同時に右及び左の係合要素を操作して気道の開放を確保する。
【００２４】
図１は、本発明に関連して用いることができる気道開放装置を示している。この図に示されている装置は特に便利である。ヘルメット構造への大きな変更を実行する必要なしに、既存のヘルメットに対しアドオンする装置として適用できるからである。図中に参照符号１０によって全般的に示されている装置は、左及び右の下顎係合セクション１５を備えている。下顎係合セクション１５は、ベースプレート１６と、ベースプレート１６の長さに沿って遠位側から近位側あるいは内側へと長手方向にかつ調節可能に変位可能であるキャリヤ１４と、キャリヤ１４から突出してある角度に屈曲している気道開放部材１７とを有している。キャリヤ１４は、ベースプレート１６の裏面に位置する操作具４２によって、変位可能である。ベースプレート１６は、ある角度に曲げられた気道開放部材１７がヘルメット１の内部空間に対向し、かつ操作具４２は図２に示すようにヘルメット１の外側から手動で操作するためにアクセス可能であるように、ヘルメット１（図２〜図５）の内側に一体化されあるいは装着されるように適合されている。図１は、明瞭さのためにヘルメット１を取り除いたときの、下顎係合セクション１５の斜視図を示している。
【００２５】
気道開放装置の起動は、手動であるいは自動的に下顎係合セクションを前方に押すことによって行うことができる。これは、キャリヤを自動的に又は手動で前方に（ヘルメットの前側部分に向かって）押すことに好適な様々な装置を気道開放部材に適用することによって達成できる。例えば、下顎係合セクションの前方への変位は、ばね力ベースの装置、電気機械式の装置、その他の同種のものを適用することによって、行うことができる。本発明のいくつかの実施形態によると、気道開放部材は、一体型の衝撃センサにより事故イベントを検出した後に自動的に、又はコントロールセンターからの遠隔操作により、起動される。
【００２６】
ベースプレート１６は、下顎係合セクション１５が全体的に係合しかつキャリヤ１４が一方の側から他方の側にスライドできるときの相対的な位置関係を説明するために、「内側」あるいは「近位側」及び「遠位側」を有するものとして記載されているが、下顎係合セクション１５が全体的に係合していないときの相対的な位置関係を説明するために、これらのあるいは他の方向を示す用語もまた適切であることは留意されるべきである。したがって、キャリヤ１４がベースプレート１６の遠位側にある（ヘルメット１の後側により近い）ときに、頸部支持装置１０は使用されず（すなわち「非支持」モード）、かつキャリヤ１４がベースプレート１６の近位側（ヘルメット１の前側のより近く）にスライドしたときに、頸部支持装置１０は着用者の下顎を支持するために用いられる（すなわち「支持」モード）。
【００２７】
ベースプレート１６には、例えば長円形の少なくとも１つの長手方向溝１２が形成され、それに沿ってキャリヤ１４は変位可能である。１つあるいは任意の他の数の締結要素２２は、ベースプレート１６の遠位側から突出する操作具４２にキャリヤ１４を接続する、例えば湾曲ハンドルであり、溝１２を貫通し、キャリヤ１４の制御可能かつ調節可能な変位を可能にするキャリヤ１４の長手方向の変位を可能にする。
【００２８】
キャリヤ１４から内側に突出する気道開放部材１７は、ベースプレート１６の底縁と実質的に平行な第１の実質的に水平な要素４８と、その第１の要素４８から上方に向かってある角度をなして曲げられた第２の要素４９とを有している。第１の要素４８と第２の要素４９の間の角度「α」は１１０〜１６０度の範囲にある。この角度は、気道開放部材１７が、下顎の対応する遠位端において下顎枝の近傍で下顎角に係合するときに、開いた気道を確保するために顎部を開放させるのに充分なものである。第１の要素４８はまた、下顎角の底部を支持するときに、首の下方への傾斜あるいは屈曲を防止する役割をする。
【００２９】
図２は、ヘルメット１の内部に組立てられた気道開放装置１０の側面図を示している。図示のように、下顎係合セクション１５の起動スライダ１８はヘルメット１の側面からアクセス可能である。図３は、ベースプレート１６を示している図２中の破断線Ａ−Ａに沿った、頸部支持装置１０の断面を図示している。図４Ａは図２の平面図を図示しており、図４Ｂは、図４Ａ中の破断線Ｂ−Ｂに沿った、ヘルメット１の内部の下顎係合セクション１５の詳細な断面を図示している。
【００３０】
図５は、本発明の一実施形態による、取り外し可能な前側部分２１が設けられたヘルメット１の側面を図示している。これらの図において容易に見ることができるように、取り外し可能な前側部分は、ヘルメットの着用者２の口２２に対するより良好なアクセスをもたらす。
【００３１】
ここで図６及び図７を参照すると、装置１０は、ヘルメット１を着用しているユーザ２の首と首安定係合するように適合された頸椎支持装置２０を更に備えることができる。装置１０は、大部分の人々の首及び顔面の寸法にフィットするように調節可能な一体的な部材である。下顎係合セクション１５及び頸部支持体２０は、ヘルメット着用者の前頸三角を露出させつつ適切な身体係合を確保するために調節可能である。頸部支持体２０は、バイザー操作具２９Ｒ及び２９Ｌにより、ヘルメットのバイザーと同様の角度変位で作動することができ、その変位はヘルメット１の後側に位置するレール部材２７によって、ガイドすることができる。
【００３２】
頸部支持体２０は、左右対称であるが、例えば柔らかい発泡材、天然及び合成のポリマー、金属線補強材といった、任意の適切な可撓性かつ非刺激性の材料から製造され、それらは曲げられたときに身体部分に気持ちよく合致して、床擦れあるいは他のタイプの刺激を生じることなしに長時間にわたって係合したままとなる。文字Ｒにより示される要素は対象者の右に位置決めされるものを指し、かつ文字Ｌにより示される要素はヘルメットの着用者２の左に位置決めされるものを指している。
【００３３】
頸部支持体２０の中間領域５は、上側のわずかに湾曲した部分７と、上縁７より著しく湾曲が小さい下側の細長い部分９とにより定められる。
【００３４】
中間領域５は、図８に示すように、後頭骨に係合する中央の後頭部分として、かつ後頭部分５がそれらの間に挿入される、首の側方でＳＣＭ筋と係合するための２つの胸鎖乳突筋（ＳＣＭ）部１９として用いられる。部分７は、中間上側部分７の対応する側から延在してＬ字形に横方向に延在する縁部８により定められる凹状部分１１を有する各側において終端する。
【００３５】
図７を参照する作動の際に、後頭部分５は、中央に置かれてヘルメット着用者２の頭蓋骨の後頭骨に係合して配置されるように、最初に位置決めされる。後頭部分５は、例えば外傷状態の後でヘルメットの着用者２が背臥位にあり、頸椎の過剰な動きが結果として麻痺につながるおそれがあるときに、位置決めすることができる。後頭部分５の上側部分７と下側部分９との間の距離は、下縁９が上背部に接触することを保証するために充分に大きい。したがって、２つの下顎係合セクション１５により、かつ２つのＳＣＭ部１９により、後頭部分５の最上部に充分な引張力が適用されるときに、頭部の後方への動きが防止される。
【００３６】
ヘルメットの着用者２の前に立っている医師は、頭部の後方への動きが防止されるまで、下顎係合セクション１５の両方の操作具４２を同時に引っ張る。
【００３７】
下顎係合セクション１５の各キャリヤ１４は、気道開放部材１７が対応する下顎角に接触するまで操作されて、顎部が開放しかつ気道が開放したままとなるようにするために気道開放部材１７が対応する下顎角上に力を適用することを確実にする。着用者の唇２は閉じているように見えるけれども、この唇の位置は顎部が開放している可能性を排除しない。１センチメートルの顎部の開放でさえ、開いた気道を確保するのに充分であるからである。後頭部分が頭部の後ろに係合しているので、頭部の前方へ動きはそれにより防止される。実質的に耳の下方で首の側部に沿って下方に延在すると共に頭部を回動させあるいは延ばすように機能するＳＣＭ筋に、各ＳＣＭ部が対応して係合するので、頭部の横方向の動きもまた防止される。
【００３８】
上述した頸部支持装置の構造が、２つのＳＣＭ筋の間に位置する前頸三角が前述したように露出したままとなることを確実にするので、頸部支持装置が全体的に係合した後に医師は様々な臨床症状を監視できるが、このことは充分な頭部の静止をもたらすために先行技術のヘルメット着用者によってはこれまで達成できなかったものである。
【００３９】
例えば、露出した前頸三角は、集中治療室のメンバーが気管切開を実行して首を安定させた対象者の気道を侵襲的に開放すること、又は外頸静脈を介して輸血を実行することを可能にする。
【００４０】
これらの利点の全ては、驚くほど軽く、容易にかつ迅速に操作され、かつ首安定性に優れる、既存のヘルメットと一体化し又は新しいタイプの安全ヘルメットとすることができる支持装置によって達成可能である。
【００４１】
図８及び図９は本発明の他の実施形態を図示しており、気道開放装置１１０は専用のヘッドギア１１５と全体的に係合するが、そのヘッドギア１１５は下顎係合セクションがその上に装着され、かつヘルメットに着脱自在に接続することができる。ヘッドギア１１５は好ましくは左右相称である。
【００４２】
ヘッドギア１１５の構成は、ヘルメットが対象者の頭部上にあり、かつ気道開放部材が全体的に係合している間に、装置１１０からヘルメットの簡単な取り外しを容易にする。したがって、ヘルメットは、気道開放部材を取り除くことなしに、かつ開いた気道を危うくすることなしに、対象者の頭部から有利に安全に取り除くことができる。この取り除きの特徴は、介護者が対象者の顔面及び／又は首にアクセスする必要があり、かつ開いた気道の維持を望むときの緊急の調整において重要である。
【００４３】
図８に示すように、ヘッドギア１１５は、全体的に係合したときに横断面に近い平面を定める、頭部を囲む第１のストラップ１２１を備えている。第１のストラップ１２１のうち、前部１２４は上顎骨と係合するように適合され、かつ後部１２６は後頭骨と係合するように適合されている。右及び左の下顎係合セクション１３０は、第１のストラップ１２１の対応する横方向の側部に装着され、かつわずかに低くそこから分離される。図式的に示す下顎係合セクション１３０の各々は、図１に示した下顎係合セクション１５に同一とすることができるが、例えば横方向に突出したハンドルを用いることにより溝１３２に沿って長手方向に変位可能である限りにおいて、例えば下顎挙上法により、対応する気道開放部材が対応する下顎角上に力を適用して顎部が開放するようにして、他のやり方で構成することもできる。
【００４４】
第１のストラップ１２１に対し実質的に垂直な第２のストラップ１２２も設けられ、第１のストラップ１２１の右からその左へと上方に延在している。第２のストラップ１２２は、全体的に係合したときに頭蓋骨を囲み、側頭骨及び頭頂骨に係合しつつ前額面を近似する平面を定める。
【００４５】
ストラップ１２１及び１２２は、ヘッドギア１１５が頭部に適切に固定される限り、任意の硬く非伸張性の材料、可撓性の材料、又は例えばプラスチック、ゴム及び革といった伸縮性の材料から製造することができる。
【００４６】
図９に示すように、ヘッドギア１１５が対象者の頭部１０５に装着されたときに、第１のストラップは鼻１１７と干渉することなく上顎骨と係合するように適合されている。また、ストラップ１２１及び１２２の接合部１２４は、耳１１８と干渉しないように適切に配置されている。
【００４７】
図式的に示した分離要素１３５は、ストラップ１２１及び１２２の各々に付加されることが示されている。分離要素１３５の数、ヘッドギア上のそれらの位置、及びそれらの構成を任意の所望のやり方で変更できることは理解されよう。
【００４８】
装置１１０のヘルメットからの分離は、例えば止め金、あるいは面ファスナといった締結具、又は機械的あるいは電気的な作動かどうかに関係なく、何らかの適切な分離要素１３５を用いて、実行できる。分離操作を実行するための非限定的な実施例には、レバーを引くことあるいはボタンを押すことが含まれる。代わりに、その分離は、気道開放装置のヘルメットからの迅速かつ容易な分離と、その後のヘルメットの取り外しを可能にする何らかの他の手段によって、行うことができる。
【００４９】
気道開放装置１１０はまた図６に示す頸部支持体２０を備えることもできるが、それはヘルメットに対して恒久的にあるいは着脱自在に接続できる。
【００５０】
別の実施形態において、気道開放装置は、上顎骨においてはなく、例えば顎領域をカバーするメッシュを用いて顎の上に支持される要素と共に構成できる。
【００５１】
本発明のいくつかの実施形態を例証として記載してきたが、本発明を多くの修正、変更及び適合と共に、かつ特許請求の範囲を超えることがない、当業者の範囲内にある多数の等価な又は代替的なソリューションを用いて実行できることは明らかである。
【図１】
0006752456.tif 000002
【図２】
0006752456.tif 000003
【図３】
0006752456.tif 000004
【図４Ａ】
0006752456.tif 000005
【図４Ｂ】
0006752456.tif 000006
【図５】
0006752456.tif 000007
【図６】
0006752456.tif 000008
【図７】
0006752456.tif 000009
【図８】
0006752456.tif 000010
【図９】
0006752456.tif 000011